(57)【要約】  【課題】  練り餌の固さに応じて吐出量を任意に調整できる練餌定量供給器具を安価に提供できる。  【解決手段】  ガイド部材３２１に摺動部材３２２を緩挿入し、レバー部材３２４を揺動させることによって揺動部材３２３を介してガイド部材３２１を摺動部材３２２に対して下方に歩進させる。その歩進に従ってガイド部材３２１の先端に取り付けられた練餌収納容器２１は下降し、相対的にピストン部２２が練餌収納容器２１に押し込まれる。その結果、容器２１のノズルから一定量の練り餌が押し出される。調整部材である螺子３２５をねじ込んでガイド部材３２１に摩擦抵抗を与える。その摩擦抵抗の度合いによって練り餌の吐出量が調整される。  【選択面】 図３【実用新案登録請求の範囲】
【請求項１】
基台、練餌容器、該練餌容器内に収容された練餌を一定量ずつ押出すための練餌押出機構部および上記練餌容器を上記練餌押出機構部に着脱自在に取り付けるための取付部材とよりなり、上記基台は釣りの足場等に固定するためのクランプ部材および該基台に上記練餌押出機構部を着脱自在に取り付けるための練餌押出機構部取付部材を備え、上記練餌容器はその上端に練餌押出用のノズルを有し底部が開放された円筒状の練餌収納容器および該練餌収納容器の下端解放部に挿入できるピストン部とよりなり、上記練餌押出機構部は棒状のガイド部材、該ガイド部材に沿って上下動されるように緩合された摺動部材、該摺動部材に組み込まれ上記ガイド部材に対して摩擦係合する揺動部材、該揺動部材の一端を上下方向に揺動させるためのレバー部材、上記摺動部材に組み込まれ該摺動部材と上記ガイド部材との摩擦係合の度合いを調整するための調整部材とを含む歩進機構を備え、上記レバー部材を上下に揺動させることにより上記ピストン部を上記練餌収納容器内に一定量ずつ嵌入させるように構成したことを特徴とする練餌定量供給器具。
【請求項２】
上記調整部材は上記摺動部材に螺合されその先端が上記ガイド部材に摩擦係合する螺子よりなることを特徴とする請求項１記載の練餌定量供給器具。
【請求項３】
上記基台の練餌押出機構部取付部材は上記クランプ部材に対して回動自在に取り付けると共に、上記練餌押出機構部を着脱自在に取り付けるための止着部を一個ないし複数個備えたことを特徴とする請求項１記載の練餌定量供給器具。
【請求項４】
上記練餌収納容器はその上面にノズルを囲んでスポンジ体または粉末餌を収納するための環状の収納皿を備えたこと特徴とする請求項１記載の練餌定量供給器具。
【考案の詳細な説明】
【技術分野】
【０００１】
本考案は、魚釣りに使用する練り餌を一定量ずつ押出して使用に給するための、練餌定量供給器具に関する。
【背景技術】
【０００２】
魚釣りに使用する練餌をピストン型の容器に収容して、ピストン部を押し込み容器先端に設けた練餌押出用のノズルから必要とする量の練餌を取り出す練餌容器は既に市販されている。さらにこの練餌の押出しを容易にするために螺子機構を用いてピストン部を押し込む考案が提示されている。
【特許文献１】実用新案登録第３０８７０９６号公報
【考案の開示】
【考案が解決しようとする課題】
【０００３】
しかし、実用新案登録第３０８７０９６号公報記載の練り餌取り出し装置は、ピストン部を押し込むために手加減で螺子機構を回動させているので、必要以上に強い圧力が練り餌にかかり、予期しない多くの量の練り餌が押し出されてしまうという欠点がある。
【０００４】
そこで、市販されているかかる構造の練り餌容器ではノズル部にコックを取付、必要量以上に練り餌が押し出されそうになるとコックを手で締めるように改造されている。
【０００５】
コックを使用しなければ必要量の練り餌を取り出せないという構造では、操作が却って煩雑となり、折角、餌付けに際し釣り人の手間を省くという目的には添わなくなる。
【０００６】
本考案は、極めて簡単な構造で、一定量の練り餌が常に取り出せるという練餌定量供給器具を安価に提供することを目的としている。
【０００７】
本考案は、さらに練り餌の固さに応じて押し出し力を調整でき、常に一定量の練り餌が取り出せるという練餌定量供給器具を安価に提供することを他の目的としている。
【課題を解決するための手段】
【０００８】
これらの目的を達成するために、本考案の練餌定量供給器具は、基台、練餌容器、該練餌容器内に収容された練餌を定量ずつ押出すための練餌押出機構部および上記練餌容器を上記練餌押出機構部に着脱自在に取り付けるための取付部材とよりなり、上記基台は釣りの足場等に固定するためのクランプ部材および該基台に上記練餌押出機構部を着脱自在に取り付けるための練餌押出機構部取付部材を備え、上記練餌容器はその上端に練餌押出用のノズルを有し底部が開放された円筒状の練餌収納容器および該練餌収納容器の下端解放部に挿入できるピストン部とよりなり、上記練餌押出機構部は上記ピストン部を上記練餌収納容器内に一定量ずつ嵌入させるための歩進機構を備えている。
【０００９】
上記歩進機構は棒状のガイド部材、該ガイド部材に沿って上下動されるように緩合された摺動部材、該摺動部材に組み込まれ上記ガイド部材に対して摩擦係合する揺動部材、該揺動部材の一端を上下方向に揺動させるためのレバー部材、上記摺動部材に組み込まれ該摺動部材と上記ガイド部材との摩擦係合の度合いを調整するための調整部材とを備え、上記レバー部材を上下に揺動させることにより該摺動部材を一定方向に歩進させるように構成されている。
【００１０】
上記調整部材は上記摺動部材に螺合されその先端が上記ガイド部材に摩擦係合する螺子より構成されている。
【００１１】
さらに、本考案の練餌定量供給器具は基台の練餌押出機構部取付部材をクランプ部材に対して回動自在に取り付けると共に、上記練餌押出機構部を着脱自在に取り付けるための止着部を一個ないし複数個備えている。
【００１２】
さらに、上記練餌収納容器はその上面にノズルを囲んでスポンジ体または粉末餌を収納するための環状の収納皿を備えている。この収容皿に粉末餌を収納する場合はスポンジ体を取り外してその空隙部に粉末餌を収容する。しかし、場合によってはこの環状の収納皿を２分割、３分割して仕切を設け、スポンジ体、粉末餌をそれぞれ同時に収容することも出来る。このように多数の仕切を設ければ、種類の異なる粉末餌を別々に収納することも出来る。
【考案の効果】
【００１３】
本考案の練餌定量供給器具は、レバー部材を上下に揺動させることにより、ピストン部を練餌収納容器内に一定量ずつ嵌入させるための歩進機構を備えているので、常に定量の練り餌を供給することが出来る。
【００１４】
本考案の練餌定量供給器具は、歩進機構の摺動部材に組み込まれ摺動部材とガイド部材との摩擦係合の度合いを調整するための調整部材を備えているので、この摩擦係合の度合いを適当に選ぶことにより、歩進機構で摺動部材を前進させる場合、逆止部材として機能することが出来る。従って、従来の歩進機構では別途に逆止部材を必要とするが、本考案の歩進機構では逆止部材を省略することが出来るメリットがある。
【００１５】
本考案の歩進機構では、この摩擦係合の度合いを調節することによって歩進機構の前進ストローク幅を調整することが出来る。即ち、レバーを手で押して揺動部材を揺動させれば揺動部材とガイド部材との摩擦係合力は強くなり摺動部材は前進して、ピストン部材を介して容器内の練り餌を圧迫する。しかし、レバーから手を離すと摺動部材はピストン部材を介して練り餌の反発力で押し戻される。その際、調整部材とガイド部材との摩擦係合の度合いを強くすれば、押し戻される度合いは少なくなる。即ち、練り餌には強い圧縮力がかかり、多くの練り餌が押し出される。
【００１６】
その反対に、調整部材とガイド部材との摩擦係合の度合いを小さくすれば、練り餌の反発力でピストン部材が押し戻される量は大きくなる。即ち、練り餌に加わる圧縮力は少ないので、押し出される量も少なくなる。従って練り餌の固さに応じて調整部材の摩擦係合力を調整すれば、練り餌が必要以上に押し出されることはなくなる。
【００１７】
本考案の歩進機構では、摩擦係合の度合いを０に近づければ、ガイド部材と摺動部材の係合力は極めて少なくなるので、逆止部材としての機能はなくなり、摺動部材を元の位置に戻したり、ガイド部材から引き抜くことが出来るようになる。即ち、従来の歩進機構では逆止部材の逆止機能を解除するためのリリースを必要としたが、本考案の歩進機構ではリリースの部品を省略することが出来る。
【００１８】
本考案の歩進機構では、摺動部材とガイド部材との摩擦係合の度合いを調整するための調整部材として、摺動部材に螺合されその先端がガイド部材に摩擦係合する螺子を採用することにより、極めて簡単な構造で、逆止機能、練り餌押出量の調整機能、リリース機能の３つの機能を１個の螺子で遂行することが出来るようになった。
【００１９】
本考案の練餌収納容器はその上面にノズルを囲んで環状の収納皿を備えているので、スポンジ体、粉末餌を収納することが出来る。粘性の大きい練り餌を使用する場合は手にべたつくので、予めスポンジ体に水を含ませ練餌容器から押し出された餌を指でとる場合、指先をスポンジ体の水で湿らせておけば、指先に練り餌が粘り着くことがなくなる。
【００２０】
また、針に付けた練り餌に魚粉やさなぎ粉等の粉末状の餌をまぶせば魚の食いがよくなるので、練餌容器に粉末餌の収納皿を付設しておけばこのまぶし動作を行うのに極めて便利になる。
【考案を実施するための最良の形態】
【００２１】
本考案の最良の実施形態を次の実施例によって説明する。
【実施例１】
【００２２】
図１は本考案の練餌定量供給器具の基台１を示す。
基台はクランプ部材１１と練餌押出機構部取付材１２とよりなる。クランプ部材１１はＵ字型の把持部１１１、該把持部１１１に螺合された締め付け螺子１１２および締め付けハンドル１１３を備えている。練餌押出機構部取付材１２は図２に示すように、Ｕ字型の把持部１１１に回動軸１２２で回動自在に取り付けられている。１２１は練餌押出機構部を着脱自在に取り付けるための止着部で、練餌押出機構部のガイド部材の下端を挿入する嵌挿孔１２４および固定するための止着螺子１２３を備えている。
【００２３】
図３〜図５は練餌押出機構部３に練餌容器２を取り付けた状態を示す。
練餌容器２はノズル２３を有する練餌収納容器２１とピストン部２２とよりなる。練餌押出機構部３の歩進機構３２は棒状のガイド部材３２１，ガイド部材３２１に沿って上下動する摺動部材３２２，摺動部材３２２を前進させるための揺動部材３２３，レバー部材３２４、揺動部材３２３を上方向に付勢させるバネ３２６等よりなる。練餌容器２と練餌押出機構部３とは取付部材３１で着脱自在に連結される。図中３２７は把持部、３２８、３２９はストッパー、３３１は回転軸、３３２はピストン部２２の底を支承するテーブルを示す。
【００２４】
図６は摺動部材３２２の一部拡大断面図であって、ガイド部材３２１に摺動部材３２２が緩挿されている。摺動部材３２２の空洞部３３４には図７に示す形状をした揺動部材３２３が収容され、揺動部材３２３に開けられた貫通孔３３３にはガイド部材３２１が挿入される。揺動部材３２３は螺旋バネ３２６によって常に上方向に押し上げられている。  図中３２５は調整部材としての調整螺子で、摺動部材３２２に開けられた螺子孔に螺合されその先端はガイド部材３２１の側面に圧接されている。
【００２５】
取付部材３１はガイド部材３２１の先端を受け入れる凹孔３１２とガイド部材３２１を圧接して固定する固定螺子３１１および練餌収納容器２１を固定するためのバンド３１３を備えている。
【００２６】
この実施例では、ガイド部材は丸棒を使用する例を示したが、断面矩形、方形の棒材でも使用可能である。
【実施例２】
【００２７】
図８は基台の他の実施例を示すもので、基台１Ｂの練餌押出機構部取付部材１２は２つの止着部１２１，１２１を有する。従って、それぞれ種類の異なる練り餌を入れた練餌容器を装着した練餌押出機構部を取り付けることが出来る。さらに、練餌押出機構部取付部材１２をターンテーブル式に構成し、多数の止着部を設ければ、多数の種類の異なる練り餌容器を取り付けることが出来る。
【００２８】
図９は練餌容器の他の実施例を示すものである。
練餌収納容器２１の側壁を上方に延長してノズル２３を囲んで環状の収納皿２４を構成する。この収納皿２４には図１０で示す貫通孔２６を備えたスポンジ体２５を収納することが出来る。また、このスポンジ体２５を取り除けばその空隙部に粉末の餌を収納することが出来る。この環状の収納皿を数枚の仕切で仕切れば、スポンジ体、異なる種類の粉末餌をそれぞれ収容することが出来きる。
【００２９】
さらに、この練餌収納容器２１の側壁には取付部材３１が固定されている。従って、ガイド部材３２１の先端を挿入孔３１５に差し込み裸子孔３１４に螺入した固定螺子で固定することが出来る。
【００３０】
次に本考案の練餌定量供給器具の使用方法を述べる。
まず、止め螺子３１１を緩めて練餌容器２をガイド部材３２１から取り外す。練餌収納容器２１に練り餌を詰め込み下からピストン部２２を若干挿入する。その状態で、取付部材材３１の凹孔３１２にガイド部材３２１の先端を挿入し、止め螺子３１１で固定する。  予め、基台１をクランプ部材１１によって釣り場の丸太等に固定しておく。ガイド部材３２１の下端を取付部材１２の止着部１２１の嵌挿孔１２４に挿入し、止着螺子１２３で固定する。
【００３１】
練り餌を付けるときは、把持部３２７に指をかけ、レバー部材３２４を矢印方向に回動させる。レバー部材３２４の先端は揺動部材３２３の一端をバネ３２６に抗して下方に押し下げる。揺動部材３２３の他端はストッパー３２８によってそれ以上上方に回動しないので揺動部材３２３はガイド部材３２１に対して斜めに傾く。揺動部材３２３に開けられた貫通孔３３３はガイド部材３２１の直径より若干大きく開けれれているので、揺動部材３２３は下方に揺動するが一定の角度になるとそれ以上の回動は阻止されるので摩擦抵抗でガイド部材３２１を押し下げる力が働く。
【００３２】
レバー部材３２４から指を離すと揺動部材３２３はバネ３２６で元の位置即ち水平状態に戻るのでガイド部材３２１と貫通孔３３３の縁との間の摩擦抵抗は少なくなるのでガイド部材３２１を上に引き上げる力はほとんど働かなくなる。それでも若干レバー部材の戻りの回動につれてガイド部材も上に引き上げられるので、調整部材の螺子３２５を締めてガイド部材３２１に摩擦抵抗を付与すればこの戻り現象を回避することが出来る。
【００３３】
この調整部材の螺子３２５の締め具合によってガイド部材３２１に与える摩擦抵抗を調整することが出来る。摩擦抵抗を大きくすればガイド部材の戻りは少なくなり、容器内の練り餌には大きな力が加わり、練り餌の吐出量は多くなる。反対に、摩擦抵抗を小さくすれば、ガイド部材の戻りは大きくなり、容器内に加えられている圧迫力は小さくなり、練り餌の吐出量は少なくなる。即ち、調整部材の螺子３２５の締め具合によって練り餌の吐出量を調整することが出来る。
【００３４】
さらに、調整部材の螺子３２５を緩めれば、ガイド部材を摺動部材に対して反対方向に移動して初期の位置に復帰させることが出来る。そして容器内に練り餌を充填して調整部材の螺子３２５を適当な締め具合に調整すれば再び練り餌定量供給器具として使用できる。
【００３５】
基台１の練餌押出機構部取付部材１２は回動軸１２２に回動自在に取り付けられているので、利き手や設置位置などの関係で最も操作しやすい向きに回動して使用することができる。
【００３６】
練餌収納容器２１に設けた収納皿２４にスポンジ体２５を収容し、釣り針に練り餌を付ける場合に指先を湿らせたり、収納皿２４に粉末餌をいれて練り餌にまぶし動作を行うことは既に説明した通りである。
【図面の簡単な説明】
【００３７】
【図１】本考案の練餌定量供給器具の基台を示す正面図。
【図２】練餌押出機構部取付部材の平面図。
【図３】本考案の練餌定量供給器具の要部の正面図。
【図４】図３の側面図。
【図５】図３の平面図。
【図６】歩進機構の要部の拡大断面図。
【図７】揺動部材の平面図。
【図８】基台の他の実施例を示す正面図。
【図９】練餌容器の他の実施例を示す縦断面図。
【図１０】スポンジ体の斜視図。
【符号の説明】
【００３８】
１   基台
２   練餌容器
３   練餌押出機構部
３２  歩進機構
３２１  ガイド部材
３２２  摺動部材
３２３  揺動部材
３２５  調整部材
【図１】
0003104113.tif 000002
【図２】
0003104113.tif 000003
【図３】
0003104113.tif 000004
【図４】
0003104113.tif 000005
【図５】
0003104113.tif 000006
【図６】
0003104113.tif 000007
【図７】
0003104113.tif 000008
【図８】
0003104113.tif 000009
【図９】
0003104113.tif 000010
【図１０】
0003104113.tif 000011